(57)【要約】【課題】岩場のような凹凸表面がある釣り場であっても、靴底が凹凸表面を確実に捉え、滑ることなく安定して歩行することが可能な釣用靴を提供する。【解決手段】本発明の釣用靴１は、靴底に、複数の突起を配設した突起領域Ｒと、複数の突起１５，２０よりも硬質な材料で形成されると共に突起領域Ｒを囲む本体領域２２と、を備えている。複数の突起は、周囲に当接面を具備した第１突起１５と、当接面を受ける受け面を具備した第２突起２０と、を備え、第１突起１５の当接面と第２突起２０の受け面は、第１突起１５が倒れて当接面が受け面に当接した際、第１突起１５の当接方向の動きを規制すると共に、当接方向と異なる方向の動きを規制するように構成されている。また、複数の突起は、その突起領域において中心部Ｃほど高く形成されている。【選択図】図２
2011229444.tif 000002
【特許請求の範囲】
【請求項１】
靴本体の底面に靴底を固定した釣用靴において、
前記靴底は、複数の突起を配設した突起領域と、前記複数の突起よりも硬質な材料で形成されると共に、前記突起領域を囲む本体領域と、を備えており、
前記複数の突起は、周囲に当接面を具備した第１突起と、前記当接面を受ける受け面を具備した第２突起と、を備え、
前記第１突起の当接面と前記第２突起の受け面は、前記第１突起が倒れて当接面が受け面に当接した際、前記第１突起の当接方向の動きを規制すると共に、当接方向と異なる方向の動きを規制するように構成されており、
前記複数の突起は、その突起領域において中心部ほど高く形成されていることを特徴とする釣用靴。
【請求項２】
前記突起領域における複数の突起は、連結層に形成されており、前記連結層を靴底に取着したことを特徴とする請求項１に記載の釣用靴。
【請求項３】
前記靴底の中心線は、前記本体領域が配されることを特徴とする請求項１又は２に記載の釣用靴。
【請求項４】
前記複数の突起は、その硬度が中心部に比較して周辺部が高く形成されていることを特徴とする請求項１から３のいずれか１項に記載の釣用靴。
【発明の詳細な説明】
【技術分野】
【０００１】
本発明は、主に魚釣りをする際に使用される釣用靴に関し、詳細には、靴底に特徴を有する釣用靴に関する。
【背景技術】
【０００２】
従来、渓流釣りや磯釣り等に用いられる釣用靴は、様々な構造の靴底を備えている。例えば、靴底そのものを硬い材質で形成したり、特許文献１に開示されているように、スパイクピンを設けることが知られている。或いは、特許文献２に開示されているように、フェルト製のソールを被着することも知られている。
【先行技術文献】
【特許文献】
【０００３】
【特許文献１】特開２００１−８７０８号
【特許文献２】特開平１１−９９００４号
【発明の概要】
【発明が解決しようとする課題】
【０００４】
上記したような靴底そのものが硬い材質で形成されていると、例えば、岩場のような凹凸表面のある部分を歩行した際、靴底裏面が凹凸表面を点で受ける（点接触）ようになるため、滑り易いという問題がある。また、特許文献１に開示されているように、スパイクピンを設けることで、歩行時には、スパイクピンが地表に入り込むことからグリップ力は高めることはできるものの、地表が硬くなるとスパイクピンが食い込まなくなり、硬い構造の靴底と同様、点接触して滑り易いという問題がある。
【０００５】
また、上記した特許文献２に開示されているように、靴底にフェルトのように柔らかい素材のソールを止着すると、凹凸表面を包み込むようにして変形することから、摩擦力が高まるものの、靴底全体が柔らかいため、力が加わった方向に変形し続けてしまい、踏ん張りがきかなくなる。特に、幅方向（左右方向）に対しては踏ん張りがきかなくなりバランスが取れなくなってしまう。
【０００６】
本発明は、上記した問題に着目してなされたものであり、岩場のような凹凸表面がある釣り場であっても、靴底が凹凸表面を確実に捉え、滑ることなく安定して歩行することが可能な釣用靴を提供することを目的とする。
【課題を解決するための手段】
【０００７】
上記した目的を達成するために、本発明に係る釣用靴は、靴本体の底面に靴底を固定した構成において、前記靴底は、複数の突起を配設した突起領域と、前記複数の突起よりも硬質な材料で形成されると共に、前記突起領域を囲む本体領域と、を備えており、前記複数の突起は、周囲に当接面を具備した第１突起と、前記当接面を受ける受け面を具備した第２突起と、を備え、前記第１突起の当接面と前記第２突起の受け面は、前記第１突起が倒れて当接面が受け面に当接した際、前記第１突起の当接方向の動きを規制すると共に、当接方向と異なる方向の動きを規制するように構成されており、前記複数の突起は、その突起領域において中心部ほど高く形成されていることを特徴とする。
【０００８】
上記した構成の釣用靴によれば、岩場のような凹凸表面がある部分を歩行した際、凹凸表面に応じて、第１突起が倒れることでグリップ力が高まり、滑りが防止される。この場合、第１突起は、凹凸表面に応じて倒れるものの、隣接する第２突起の受け面に、その当接面が当接して倒れ込むことが規制されるため、更なる体重移動があっても、第１突起が崩れることはなく、グリップ力を維持することが可能となる。また、突起領域に設けられた複数の突起は、中心部ほど高く形成されているため、全体として凹凸表面に対して追従し易くなり、特に、突起領域を構成する複数の突起は、外周領域に移行するほど高さが低くなっており、かつ、突起領域は、複数の突起よりも硬質な材料で形成された本体領域によって囲まれているため、バランスを崩して靴底の縁部側に体重移動があっても、その移動を受け止めることができ（そのまま崩れるように滑ることが防止される）、滑りが生じることが防止される。さらに、前記第２突起の受け面は、第１突起の当接面が当接した際に、その当接方向に加え、それとは異なる方向に対しても動きを規制するように構成されているため、異なる方向に体重移動があっても、その方向に第１突起が倒れ込んで崩れることが防止され、高いグリップ力を維持することが可能となる。
【発明の効果】
【０００９】
本発明によれば、岩場のような凹凸表面がある釣り場であっても、靴底が凹凸表面を確実に捉え、滑ることなく安定して歩行することが可能な釣用靴が得られる。
【図面の簡単な説明】
【００１０】
【図１】本発明に係る釣用靴の一実施形態を示す側面図。
【図２】図１に示す釣用靴の靴底を示すであり、(ａ)は裏面図、（ｂ）は側面図。
【図３】図２に示す靴底に設けられる突起領域の拡大図。
【図４】突起領域の一部を示す平面図（突起の配列パターンを示す一部の平面図）。
【図５】（ａ）は図４のＡ−Ａ線に沿った断面図、（ｂ）は変形例を示す図。
【図６】突起領域が凹凸表面に接地したときの状態を説明する図。
【図７】凹凸表面がある部分を歩行した際の状態を示す図であり、（ａ）は第１突起が倒れた状態を示す平面図、（ｂ）は側面図、（ｃ）は第１突起の当接面と第２突起の受け面が当接した状態を拡大して示す図。
【図８】突起領域を有する連結層の構成を示す図。
【図９】靴底の変形例を示す裏面図。
【図１０】図９に示す靴底の突起領域が凹凸表面に接地するときの状態を説明する図。
【発明を実施するための形態】
【００１１】
以下、本発明に係る釣用靴の一実施形態について図１から図７を参照して具体的に説明する。  
本実施形態の釣用靴１は、ショートブーツタイプとして構成されており、釣り人の足部を覆う靴本体２と、靴本体２に対して接着、固定される靴底（ソール部）１０とを備えて構成される。この場合、靴本体２と靴底１０の固着方法や具体的な構造については特に限定されるものではなく、靴本体２の内部に中敷（インナーソール）やクッション材などが介在されていても良い。
【００１２】
前記靴本体２は、例えば、ゴム等の素材で一体形成することが可能であり、その裏面（底面）２ａには、例えば、ゴム、ウレタン、ＥＶＡ等の合成樹脂によって一体形成され、所定の肉厚を有する前記靴底１０が接着等によって固定されている。なお、前記靴本体２の形成素材や全体構成については、特に限定されることはなく、例えば、合成樹脂や繊維材などを組み合わせて縫製する等、適宜変形することが可能である。
【００１３】
前記靴底１０の底面１０ａには、下方に向けて突出する複数の突起１５，２０を有する突起領域Ｒが設けられている。この場合、突起領域Ｒは、靴底の底面１０ａの所定領域に設けられており、本実施形態では、靴底の略中央領域Ａ１、中央領域Ａ１よりもつま先側における親指側（母指球領域Ａ２）と小指側（小指球領域Ａ３）に設けられている。なお、中央領域Ａ１から踵側に向かう後方領域Ａ４、及び踵の位置に対応する踵領域Ａ５においても、同様な突起領域Ｒを形成しても良い。また、図２（ａ）では、母指球領域Ａ２のみに複数の突起１５，２０を示しているが、中央領域Ａ１、及び小指球領域Ａ３にも同様な複数の突起が設けられている（Ａ１，Ａ３領域では、複数の突起の高さ関係のみを示してある）。
【００１４】
各突起領域Ｒは、周囲に当接面１５ａを具備した第１突起１５と、前記当接面１５ａを受ける受け面２０ａを具備した第２突起２０と、を備えている。この場合、第１突起１５と第２突起２０は、第１突起１５が倒れた際に、第１突起の当接面１５ａが、第２突起２０の受け面２０ａで受けるように、交互に配設されている。また、第１突起１５の当接面１５ａと第２突起２０の受け面２０ａは、第１突起１５が倒れて当接面１５ａが受け面２０ａに当接した際、第１突起１５の当接方向の動きを規制すると共に、当接方向と異なる方向の動きを規制するように構成されている。
【００１５】
また、各特記領域Ｒにおける複数の突起１５，２０は、その突起領域において中心部ほど高く形成されている。すなわち、図２に示すように、各突起領域Ｒでは、中心部Ｃの部分で突起１５，２０が最も高く形成されており、周囲（つま先、踵側、及び幅方向側）に移行するに連れて、それらの高さが低くなるように形成されている。この場合、複数の突起１５，２０については、中心部Ｃの領域が高く形成され、周囲に移行するに連れて次第に低くなるように形成されていれば良く、例えば、図５（ａ）に示すように、交互に配設される第１突起１５及び第２突起２０が、共に周囲に移行するに連れて、順次、低くなるように形成されていたり、或いは、図５（ｂ）に示すように、第１突起１５の当接面１５ａを受ける受け面２０ａを有する第２突起２０の高さを一定（略一定であっても良い）にしておき、第１突起１５を周囲に移行するに連れて、順次、低くなるように形成しても良い。すなわち、突起１５，２０を見た場合、その突出表面が周囲に移行するに連れて低くなるようになっていれば良い。
【００１６】
上記した第１突起１５、及び第２突起２０は交互に配設されており、両突起の距離は、第１突起１５が倒れた際、その表面（当接面１５ａ）が第２突起２０の表面（受け面２０ａ）に当接できる程度に設定されている。また、中心部Ｃから周囲に移行する方向で各突起１５，２０の高さを見た場合、当接面１５ａを有する第１突起１５は、受け面２０ａを有する第２突起２０よりも高く形成されている。
【００１７】
本実施形態では、第１突起（高い突起）１５は、円柱形状に形成されており、その円周壁が当接面１５ａとして構成されている。また、第１突起１５が倒れた際に当接面１５ａを受ける第２突起（低い突起）２０は、角柱形状に形成されており、その４方向の外壁は、断面円弧状に形成されて受け面２０ａを構成している。このため、図７に示されるように、第１突起１５が倒れた際、受け面２０ａは、矢印Ｄ１方向（当接方向）の動きを規制すると共に、当接方向Ｄ１とは異なる方向（本実施形態では、受け面２０ａが円弧形状となっているため、それとは直交するＤ２方向に至るまでの方向）の動きを規制するように構成されている。
【００１８】
また、前記靴底１０は、複数の突起１５，２０よりも硬質な材料で形成され、前記突起領域Ｒを囲むようにして本体領域（硬質部）を備えている。すなわち、靴底１０において、突起領域Ｒが形成されていない領域は、各突起１５，２０を形成している素材よりも硬度が高い硬質部２２を構成している。靴底１０に、このような硬質部２２を設けることで、靴底１０に強度を持たせることができ、また、それよりも軟質の部材によって形成される突起領域Ｒが大きく崩れることを防止でき、滑り防止の効果を高めることが可能となる。なお、突起領域Ｒにおける各突起１５，２０については、例えば、合成ゴム（ＮＢＲ，ＳＢＲ，ＩＲ）、合成樹脂（ＥＶＡ，ウレタン）等によって形成することが可能であり、硬質部２２については、それよりも硬度が高い材料、例えば、合成ゴム（ＮＢＲ，ＳＢＲ，ＩＲ）、合成樹脂（ＥＶＡ，ウレタン）、エラストマー等によって形成することが可能である（同材料であれば、硬度が高いものが用いられる）。また、硬質部２２の表面に様々な形状の凹凸部２２ａを形成することで、滑り止め効果を向上することができる。
【００１９】
上記した構成の靴底構造により、岩場のような凹凸表面がある部分を歩行した際、凹凸表面に応じて第１突起１５が倒れ、これにより凹凸表面に追従してグリップ力が高まり、滑りが防止されて安定した歩行が可能となる。この場合、第１突起１５は、図７（ａ）（ｂ）に示すように、凹凸表面に応じて倒れるものの、隣接する低い突起２０の受け面２０ａに、その当接面１５ａが当接して倒れ込むことが規制されるため、更なる体重移動があっても、第１突起１５が崩れることはなく、グリップ力を維持することが可能となる。
【００２０】
また、突起領域Ｒに設けられた複数の突起１５，２０は、中心部ほど高く形成されており、表面が平坦状ではないため、図６に示すように、凹凸表面に接地した際、全体として凹凸表面に対して追従し易くなる（靴底表面が斜め向きに接地しても追従し易くなる）。また、各突起領域Ｒを構成する複数の突起１５，２０は、外周領域に移行するほど高さが低くなっており、かつ、突起領域は、複数の突起よりも硬質な材料で形成された本体領域２２によって囲まれた状態になっているため、バランスを崩して靴底の縁部側に体重移動があっても、その移動を受け止めることができ（そのまま崩れるように滑ることが防止される）、滑りが生じることが防止される。
【００２１】
さらに、前記第２突起２０の受け面２０ａは、第１突起１５の当接面１５ａが当接した際に、その当接方向に加え、それとは異なる方向に対しても動きを規制するように構成されているため、前後方向のような異なる方向に体重移動があっても、その方向に第１突起が倒れ込んで崩れることが防止され、高いグリップ力を維持することが可能となる。具体的には、第２突起２０の受け面２０ａは、上記したような円弧形状（図７（ｃ）参照）により、第１突起１５の当接面１５ａが当接した際に、その当接方向Ｄ１に加え、それとは異なる方向Ｄ２に対しても動きを規制することが可能であるため、異なる方向に体重移動があっても、その方向に第１突起１５が倒れ込んで崩れることが防止され、高いグリップ力を維持することが可能となる。
【００２２】
この場合、受け面２０ａは、円弧形状に形成されているため、当接する方向Ｄ１から、それと直交する方向Ｄ２の範囲で、第１突起１５の移動を規制することができる。なお、第１突起１５がＤ２方向に大きな力を受ければ、今度はＤ２方向に存在する第２突起２０の受け面２０ａによってその倒れ込みを規制することが可能となる。
【００２３】
また、本実施形態では、前記第１突起１５が円柱形状に形成されており、これが第２突起２０の円弧状の受け面２０ａに当接するようにしていることから、図６に示すように、凹凸表面に応じて第１突起が様々な方向に倒れ易くなり、グリップ力を高めることができる。また、そのように様々な方向に倒れても、交互に隣接配置されている第２突起２０の円弧状の受け面２０ａで受けることが可能であるため、第１突起１５が倒れ込んで崩れることが防止され、グリップ力を維持することが可能となる。
【００２４】
さらに、本実施形態では、図４に示すように、第１突起１５と第２突起２０を、一方向に亘って交互に配置すると共に、その方向と直交する方向に亘って交互に配置したことにより、第１突起１５がどの方向に倒れ込んでも、確実に第２突起２０の円弧状の受け面２０ａによってその倒れ込みを規制することが可能となり、滑り止め効果の向上が図れるようになる。
【００２５】
上記した構成の第１突起１５と第２突起２０には、その先端面に、それぞれ凹部１５ｃ，２０ｃを形成しておくことが好ましい。接地部分となる先端面に、このような凹部を形成することで、水分を効果的に排除することができ、地表面に水分が存在しても、滑り難くすることが可能となる。なお、このような凹部以外にも、溝を形成したものであっても良い。
【００２６】
また、第１突起１５と第２突起２０によって構成される突起領域Ｒは、靴底の裏面の任意の位置に形成できるが、図２に示すように、靴底１０の周縁部分、及びつま先側の中心線領域（靴底の中心線を符号ＣＬで示してある）については、本体領域（硬質部２２）を配置しておくことが好ましい。これにより、負荷が加わり易いつま先側の領域の強度の向上が図れると共に、軟質材料で構成される突起領域を効果的に補強することができ、靴底構造体として安定化が図れと共に、体重移動した際の周縁方向に向かう力を、効果的に受け止めて滑り止め効果を向上させることが可能となる。
【００２７】
また、前記複数の突起１５，２０は、その硬度が中心部Ｃに比較して周辺部を高く形成しておいても良い。このように構成しても、体重移動した際の周縁方向に向かう力を、効果的に受け止めて滑り止め効果を向上させることが可能となる。
【００２８】
前記本体領域（硬質部２２）と突起領域Ｒを有する靴底１０は、例えば、二色成形（ダブルモールド）によって一体成形することが可能である。すなわち、一次成形で第１突起１５と第２突起２０を有する突起領域Ｒを形成し、引き続き、本体領域を二次成形することにより形成することが可能である。
【００２９】
また、突起領域Ｒについては、複数の突起１５，２０を、図８に示すような連結層（ベース）３０に形成しておき、この連結層３０を靴底１０に取着するような構成であっても良い。このように構成することで、靴底１０の本体領域に対する複数の突起の固定力を向上することが可能となる。
【００３０】
以上、本発明の実施形態について説明したが、本発明は上記した実施形態に限定されることはなく、種々変形することが可能である。  
上記した実施形態では、釣用靴として、ショートブーツタイプを例示したが、ロングブーツタイプや短靴タイプ（運動靴タイプ）に適用しても良い。すなわち、靴本体１や靴底１０の形状、素材については、適宜変形することが可能である。例えば、靴底１０については、部分的にフェルトを止着した構成であっても良い。
【００３１】
また、上記した突起領域Ｒについては、靴底１０の底面１０ａの任意の位置に形成することができると共に、その形状についても適宜変形することが可能である。例えば、図９に示すように、円形の突起領域Ｒを、靴底１０の底面１０ａにランダムに配設しても良い。このように多数の突起領域Ｒを形成することで、図１０に示すように、凹凸表面に対して上記したように構成される突起１５，２０が当接し易くなり、安定した滑り止め効果を得ることが可能となる。さらに、各突起１５，２０の配置位置、その構成についても適宜変形することが可能である。例えば、上記した実施形態では、第１突起１５を円柱形状とし、第２突起２０を角柱形状としたが、逆のパターンであっても良い。また、当接面と受け面を規定するための突起形状については、上記したように、当接方向を規制すると共に、その当接方向とは異なる方向の動きが規制できれば種々変更することが可能である。例えば、第１突起１５を多角柱形状（六角柱形状）としても良く、その外面となる当接面に応じて受け面を具備した第２突起を形成しても良い。
【００３２】
また、上記した突起領域Ｒには、必要に応じてスパイクピンを設置しておいても良い。このようなスパイクピンは、突起領域Ｒを形成する際に、所定の位置に固定して一体的に形成することが可能である。なお、スパイクピンは、本体領域に形成しても良く、これにより、歩行した際にスパイクピンが地面等に食い込み易くなり、滑り止め効果をより高めることが可能となる。
【符号の説明】
【００３３】
１  釣用靴
２  靴本体
１０  靴底
１５  第１突起
１５ａ  当接面
２０  第２突起
２０ａ  受け面
２２  本体領域（硬質部）
Ｒ  突起領域
【図１】
2011229444.tif 000003
【図２】
2011229444.tif 000004
【図３】
2011229444.tif 000005
【図４】
2011229444.tif 000006
【図５】
2011229444.tif 000007
【図６】
2011229444.tif 000008
【図７】
2011229444.tif 000009
【図８】
2011229444.tif 000010
【図９】
2011229444.tif 000011
【図１０】
2011229444.tif 000012